(57)【要約】【課題】作業者の肉体的負担を軽減すると共に、魚礁構成物の作成作業を効率良く行うことができる魚礁構成物の作成補助器具、および、魚礁構成物の作成方法を提供する。【解決手段】魚礁構成物の作成補助器具１は、水平方向に繋がった大矩形部上面にリフト部１１と受け止め部１０２が、小矩形部上面に傾斜部１０１と操作部１３が配置された基台部１０と、各一対の上部リンク１１１と下部リンク１１２、上部リンクと下部リンクのジョイント部１１３、各下部リンクの下方側端部を軸着するリフト部基体１１４を有するパンタグラフ機構のリフト部１１と、リフト部１１上部に取着され、上面が平坦かつ円周方向に回動するターンテーブル構造であり一対の掛止部１２１を有する保持部１２と、略Ｌ字状の本体部１３１、本体部に取着されたローラ部１３３とフットペダル１３２を有するリフト部１１の操作部１３を備える。【選択図】図１
2016007159.tif 000002
【特許請求の範囲】
【請求項１】
保持部と、
該保持部を鉛直方向に上下動させる昇降手段と、
前記保持部の下方に配置されると共に、前記保持部が降下した位置において同保持部へ衝撃を与える受け止め部と、
前記昇降手段を操作する操作部とを備える
魚礁構成物の作成補助器具。
【請求項２】
前記保持部が水平方向に回転可能に設けられる
請求項１記載の魚礁構成物の作成補助器具。
【請求項３】
前記昇降手段が、上部リンクと、下部リンクと、同上部リンクおよび同下部リンクのジョイント部とを有するパンタグラフ機構であり、同上部リンクのジョイント部と反対側の端部に前記保持部が取着される
請求項１または請求項２記載の魚礁構成物の作成補助器具。
【請求項４】
前記昇降手段近傍に配置された該昇降手段方向に向かって登る形状の傾斜部を備え、
前記操作部が、一端側が前記上部リンク、前記下部リンクまたは前記ジョイント部のいずれかに取着され、かつ、他端側が荷重をかける部分であり、屈曲部分が下向きとなるように配置した略Ｌ字状の本体部と、該本体部の同屈曲部分に設けられると共に、前記傾斜部を昇降可能なローラ部とを有するものである
請求項３記載の魚礁構成物の作成補助器具。
【請求項５】
前記操作部の本体部の他端側にフットペダルを設けている
請求項４記載の魚礁構成物の作成補助器具。
【請求項６】
前記保持部へ魚礁構成物に係る充填容器を固定すべく用いられる固定部材の掛止部を備える
請求項１、請求項２、請求項３、請求項４または請求項５記載の魚礁構成物の作成補助器具。
【請求項７】
保持部と、
該保持部を昇降させる要素、同保持部を回転させる要素、または、同保持部を昇降および回転させる要素のいずれか一つと、
前記保持部の動作に伴って同保持部に衝撃を与える要素とを備える
魚礁構成物の作成補助器具。
【請求項８】
魚礁構成物の作成補助器具に係る保持部に、魚礁構成物に係る空の充填容器または貝殻の入った充填容器のいずれかを保持させる工程と、
貝殻を入れた前記充填容器および前記保持部を昇降させると共に衝撃を与える要素による衝撃を与えるか、貝殻を入れた同充填容器および同保持部を回転させながら同充填容器の周面を叩くか、または、貝殻を入れた同充填容器および同保持部を、昇降させると共に衝撃を与える要素による衝撃を与え、かつ、同充填容器を回転させながら同充填容器の周面を叩くか、の中から選択されるいずれか一つの工程とを備える
魚礁構成物の作成方法。
【発明の詳細な説明】
【技術分野】
【０００１】
本発明は、魚礁構成物の作成補助器具および魚礁構成物の作成方法に関するものである。更に詳しくは、魚礁構成物の作成作業を行う際の作業者の肉体的負担を軽減すると共に、魚礁構成物の作成を効率良く行うことができるようにしたものに関する。
【背景技術】
【０００２】
従来から、海中における動植物の育成環境整備に各種の人工魚礁（以下単に「魚礁」と称する）が使用されており、なかでも、貝殻を充填したメッシュパイプを組み立てて作られる魚礁（ＪＦシェルナース：登録商標）は、貝を養殖して中身を取り出した後に、産業廃棄物となる貝殻を有効利用するものとして注目されている。更に、同魚礁は、主たる構成材が水産物由来のものであるため、水中環境に与える負荷が少ないという優れた点も注目されている。
【０００３】
ＪＦシェルナースに係る魚礁の製造業者は、この魚礁の基材となる貝殻を充填したメッシュパイプ（以下「魚礁構成物」と称する）の作成を貝の養殖業者に委託すると共に作成された魚礁構成物を回収するビジネスモデルを採用している。他方、貝の養殖業者にとっては、このビジネスモデルに参加することで、貝殻処理費用という出費を抑制できる一方、貝殻で副収入を得ることができるという利点がある。
【０００４】
このような魚礁構成物の作成については、例えば、下記非特許文献１に開示されている。
なお、本願の図６において、下記非特許文献１に開示された魚礁３と魚礁構成物２を示している。
【先行技術文献】
【非特許文献】
【０００５】
【非特許文献１】海洋建設株式会社  ＪＦシェルナース  製作要領インターネット＜URL：http://www.kaiyoh.co.jp/sale/pdf/main.pdf＞
【発明の概要】
【発明が解決しようとする課題】
【０００６】
魚礁構成物２は、まず、容器（以下「充填容器」と称する）であるメッシュパイプに所要量の貝殻２２を入れ、充填容器２１の底を地面に叩き付けたり、上方から固い部材で押し込んだりする作業を中身が詰まるまで繰り返して作成される。この作業を行うと、貝殻２２の一部がメッシュの隙間から突出するため、作業者は充填容器２１を回転させ、その側面を棒等で叩いて突出部分を刮ぎつつ側方からも隙間を詰める作業も併せて行う。
【０００７】
つまり、充填容器２１を持ち上げて落とす作業と、充填容器２１を持ち上げて回転させながら側面を叩く作業を交互に繰り返すため、作業者の肉体的負担が大きく、それ故、これら作業を効率的に行うことができ、かつ、肉体的負担を軽減できる手段が求められていた。
【０００８】
本発明は、以上の点を鑑みて創案されたものであり、魚礁構成物の作成作業を行う際の作業者の肉体的負担を軽減すると共に、魚礁構成物の作成作業を効率良く行うことができるもの、および、魚礁構成物の作成方法を提供することを目的とするものである。
【課題を解決するための手段】
【０００９】
上記の目的を達成するために本発明の魚礁構成物の作成補助器具は、保持部と、該保持部を鉛直方向に上下動させる昇降手段と、前記保持部の下方に配置されると共に、前記保持部が降下した位置において同保持部へ衝撃を与える受け止め部と、前記昇降手段を操作する操作部とを備える。
【００１０】
ここで、魚礁構成物の作成補助器具は、先に述べた保持部、昇降手段、受け止め部および操作部を備えることにより、作業者は、操作部を用いて昇降手段および保持部を上下動させることができる。そして、その上下動の際に保持部が降下した位置において、保持部が受け止め部に衝突するので、保持部下方からの衝撃を与えることができる。
【００１１】
このような作用を生じる魚礁構成物の作成補助器具の保持部に貝殻の入った充填容器を取り付ければ、保持部を介して充填容器へ衝撃が加わり、この動作を繰り返して充填容器が昇降している間、その内部において貝殻が上下動し、貝殻間の隙間を徐々に詰めていくことができる。
【００１２】
つまり、従来、作業者の手により繰り返し行われていた貝殻の入った充填容器を持ち上げて落とす作業を昇降手段および受け止め部が代替することになり、この結果、魚礁構成物の作成作業を行う際の作業者の肉体的負担が軽減され、魚礁構成物の作成作業が効率良く行われる。
【００１３】
前記保持部が水平方向に回転可能に設けられる場合は、魚礁構成物の作成作業を行う際に、作業者が充填容器を手で持ち上げることなく、保持部に取り付けた充填容器の回転動作を行うことができる。つまり、従来、作業者が充填容器を持ち上げて回転させていた作業を回動する保持部が代替することになり、充填容器を回転させながら側面を叩く作業をスムーズに行うことができる。
【００１４】
また、一つの器具で充填容器の昇降と回転の動作を行うことができるため、充填容器に貝殻を詰める作業と充填容器の側面を叩く作業を交互に、または、同時に行うことができるので、この結果、魚礁構成物の作成作業を行う際の作業者の肉体的負担が軽減されると共に作業時間が短縮でき、魚礁構成物の作成作業を効率良く行うことができる。
【００１５】
前記昇降手段が、上部リンクと、下部リンクと、同上部リンクおよび同下部リンクのジョイント部とを有するパンタグラフ機構であり、同上部リンクのジョイント部と反対側の端部に前記保持部が取着される場合は、動作安定性が高いので、作業における円滑な昇降動作を期待することができる。また、簡易な構造であるためメンテナンス性が良く、併せて作成コスト抑制が可能である。
【００１６】
前記昇降手段近傍に配置された該昇降手段方向に向かって登る形状の傾斜部を備え、前記操作部が、一端側が前記上部リンク、前記下部リンクまたは前記ジョイント部のいずれかに取着され、かつ、他端側が荷重をかける部分であり、屈曲部分が下向きとなるように配置した略Ｌ字状の本体部と、該本体部の同屈曲部分に設けられると共に、前記傾斜部を昇降可能なローラ部とを有するものである場合は、これら構成を有することにより、作業者が操作部の本体部他端側に荷重をかけるとローラ部が前進して傾斜部を登り、昇降手段に係るジョイント部等に取着された本体部の一端側が昇降手段を押し上げて保持部を上昇させることができ、作業者が荷重を緩めると保持部を下降させることができるので、円滑な昇降と安定操作が可能となる。
【００１７】
また、ローラ部が前進して基部の傾斜面を上がるように配置されていることにより、傾斜部が存在しない場合と比較して、本体部の屈曲部分からリンクジョイントの距離が短くとも、十分な昇降ストロークを得ることができる。
【００１８】
前記操作部の本体部の他端側にフットペダルを設けている場合は、昇降操作がフットペダルを介して足で行われることで、通常腕力の数倍あるといわれている脚力と体重による荷重を作業に利用でき、加えて、持ち上げるような窮屈な体勢をとることなく立位に近い自然な体勢で作業ができるので、腰や背中を中心とした肉体的負担が軽減される。
【００１９】
更に、昇降操作を足で行うことで両手が空くので、一方の手で充填容器を回転させながら、他方の手で棒を持って充填容器を叩く作業を同時に行いうるので、魚礁構成物の作成作業を効率良く行うことができ、作業時間の短縮化を図ることができる。
【００２０】
前記保持部へ魚礁構成物に係る充填容器を固定すべく用いられる固定部材の掛止部を備える場合は、固定部材と掛止部とが協働して、充填容器を保持部へ固定できる。この結果、作業中に充填容器が保持部から外れたり、倒れたりするような事故を防止できる。
【００２１】
上記の目的を達成するために本発明の魚礁構成物の作成補助器具は、保持部と、該保持部を昇降させる要素、同保持部を回転させる要素、または、同保持部を昇降および回転させる要素のいずれか一つと、前記保持部の動作に伴って同保持部に衝撃を与える要素とを備える。
【００２２】
ここで、保持部、保持部を昇降させる要素、同保持部を回転させる要素、または、保持部を昇降および回転させる要素のいずれか一つ、保持部に衝撃を与える要素を備えることにより、作業者が充填容器を持ち上げることなく、充填容器の昇降または回転の動作、あるいは、充填容器の昇降および回転の動作を行うことができ、この結果、魚礁構成物の作成作業を行う際の作業者の肉体的負担が軽減されると共に、魚礁構成物の作成作業を効率良く行うことができる。
【００２３】
また、保持部を昇降および回転させる要素を備える場合は、一つの器具で充填容器の昇降と回転の動作を行うことができるため、充填容器に貝殻を詰める作業と、充填容器を回転させながら側面を叩く作業を交互に、または、同時に行うことができるので、この点においても、作業時間の短縮化および作業者の肉体的負担の軽減に貢献する。
【００２４】
上記の目的を達成するために本発明の魚礁構成物の作成方法は、魚礁構成物の作成補助器具に係る保持部に、魚礁構成物に係る空の充填容器または貝殻の入った充填容器のいずれかを保持させる工程と、貝殻を入れた前記充填容器および前記保持部を昇降させると共に衝撃を与える要素による衝撃を与えるか、貝殻を入れた同充填容器および同保持部を回転させながら同充填容器の周面を叩くか、または、貝殻を入れた同充填容器および同保持部を、昇降させると共に衝撃を与える要素による衝撃を与え、かつ、同充填容器を回転させながら同充填容器の周面を叩くか、の中から選択されるいずれか一つの工程とを備える。
【００２５】
ここで、魚礁構成物の作成方法は、上記工程を備えることにより、作業者が充填容器を持ち上げることなく、作成補助器具を用いて充填容器の昇降または回転の動作を行うことができ、その結果、魚礁構成物の作成作業を行う際の作業者の肉体的負担が軽減されると共に、魚礁構成物の作成作業を効率良く行うことができる。
【００２６】
また、充填容器を含む保持部を昇降および回転させながら同充填容器の周面も打撃して貝殻の間の隙間を詰める工程が選択される場合には、充填容器に貝殻を詰める作業と充填容器を回転させながら側面を叩く作業を交互に、または、同時に行うことができるので、この点においても、魚礁構成物の作成作業を行う際の作業時間の短縮化および作業者の肉体的負担の軽減に貢献する。
【発明の効果】
【００２７】
本発明による魚礁構成物の作成補助器具によれば、魚礁構成物の作成作業を行う際の作業者の肉体的負担を軽減すると共に、魚礁構成物の作成作業を効率良く行うことができる。
また、本発明による魚礁構成物の作成方法によれば、魚礁構成物の作成作業を行う際の作業者の肉体的負担を軽減すると共に、魚礁構成物の作成作業を効率良く行うことができる。
【図面の簡単な説明】
【００２８】
【図１】本発明に係る魚礁構成物の作成補助器具の上下動を示す側面視説明図である。
【図２】図１に示す魚礁構成物の作成補助器具の平面視説明図である。
【図３】図１に示す魚礁構成物の作成補助器具に充填容器を取着した状態を示す斜視説明図である。
【図４】図１に示す魚礁構成物の作成補助器具に充填容器を取着した状態を示す斜視説明図である。
【図５】図１に示す魚礁構成物の作成補助器具の使用状態説明図である。
【図６】非特許文献１に係る魚礁と魚礁構成物に関する説明図である。
【発明を実施するための形態】
【００２９】
図１ないし図５を参照して、本発明の実施の形態を更に詳細に説明する。各図における符号は、煩雑さを軽減し理解を容易にする範囲内で付している。
なお、以下で述べる用語「リフト部」は先に述べた「昇降手段」と、以下で述べる用語「固定ベルト」は先に述べた「固定部材」と、それぞれ対応するものである。
【００３０】
また、本発明の説明に先立ち、本発明に係る器具の作成対象物である魚礁構成物２について説明する。魚礁構成物２は、図６に示す人工の魚礁３を構成する部材であって、合成樹脂製のメッシュパイプである充填容器２１に、貝殻２２（本実施例では蛎殻）を詰めて作成されるものである。
【００３１】
図１ないし図５を参照して、本実施の形態に係る魚礁構成物の作成補助器具１について説明する。
魚礁構成物の作成補助器具１は、基台部１０と、基台部１０上面に設けられたリフト部１１と、リフト部１１上部に取着された保持部１２と、リフト部１１の操作部１３を備えるものであり、各部については以下詳述する。
【００３２】
基台部１０は、金属製の板材であって、大小の矩形部が水平方向に繋がった形状である。基台部１０のうち、大きい側の矩形部の上面にはリフト部１１と、リフト部１１を挟んで一対の受け止め部１０２が配置されており、小さい側の矩形部の上面には傾斜部１０１と操作部１３が配置されている。
【００３３】
各受け止め部１０２は、一対の所要長さの直角アングル材により形成され、一の端面が基台部１０上面に固着され、他の端面が上方に向いた自由端となっている。なお、本実施の形態においては、各受け止め部１０２の高さは、リフト部１１が降下した位置において、受け止め部１０２上端が基台部１０下面に当たる高さに設定されている。
【００３４】
リフト部１１は、一対の上部リンク１１１と、一対の下部リンク１１２と、上部リンク１１１および下部リンク１１２のジョイント部１１３と、各下部リンク１１２の下方側端部を軸着するリフト部基体１１４を有するパンタグラフ機構により構成されている。
【００３５】
なお、各上部リンク１１１の先端部は後述する保持部１２の取着部１２２に軸着されており、リフト部１１が上下動する動きに伴って保持部１２も鉛直方向へ上下動する構造となっている。
【００３６】
また、リフト部１１は、平面視で、その各ジョイント部１１３を結ぶ軸線の方向と、後述する操作部１３の本体部１３１の長さ方向の軸線方向とが、直線状になるように取り付けられている。
【００３７】
保持部１２は、その上面が平坦であり、かつ、水平方向かつ円周方向に回動するターンテーブル構造である。なお、保持部１２上面の縁部には、金属棒材を山型に形成した一対の掛止部１２１が正対して設けられている（図１および図２参照）。
【００３８】
また、保持部１２は、その下面中央に付き出した取着部１２２が設けられており、取着部１２２はリフト部１１との接続部分となる。なお、取着部１２２を除いた保持部１２下面には、金属板１２３が取り付けられており、受け止め部１０２上端がこの金属板１２３と当接するように配置されている。
【００３９】
傾斜部１０１は、その幅が基台部１０の小さい側の矩形部と同じであって、リフト部１１に向かって登り傾斜する形状であり、傾斜角度は約１５°に設定されている。
【００４０】
操作部１３は、略Ｌ字状の棒材であって屈曲部分を下方に向けた本体部１３１と、本体部１３１の屈曲部分に取着されたローラ部１３３と、本体部１３１に設けられたフットペダル１３２を有している。また、操作部１３は、その長手方向と、傾斜部１０１の傾斜方向とが同一方向になるように配置されている。
【００４１】
本体部１３１は、その短手軸側先端が、リフト部１１の操作部１３側に位置するジョイント部１１３に取着されている。本体部１３１とジョイント部１１３の取着部は、ジョイント部１１３の軸周面に形成された貫通孔に、本体部１３１の短手軸側先端が挿通して抜けないように固定された構造である。
【００４２】
ローラ部１３３は、本体部１３１の屈曲部分を挟んで一対のローラを有しており、各ローラは軸で連結されている。
【００４３】
フットペダル１３２は、円筒体であって、本体部１３１の長手軸側の先端に固着されており、フットペダル１３２と本体部１３１とがＴ字状となっている。
【００４４】
本実施の形態では、受け止め部は、直角アングル材により形成されているが、これに限定するものではなく、例えば、円柱材や角柱材であってもよいし、端面が直線状や半円状の板材等であってもよく、保持部の昇降移動範囲内かつ昇降ストロークの下部側の途中に配置してあり、下降し衝突した保持部を受け止めて、保持部に衝撃を与えることができるものであれば、その形状、配置する位置、数等は特に限定せず、適宜設定することができる。
【００４５】
本実施の形態では、傾斜部の傾斜角度は約１５°であるが、これに限定するものはなく、必要とするリフト部の上下ストローク長等に応じて適宜変更することができる。
【００４６】
本実施の形態では、リフト部は、上部リンク、下部リンク、ジョイント部１１３およびリフト部基体を有するパンタグラフ機構であるが、これに限定するものではなく、例えば、上下方向に伸縮する入れ子式の構造等の公知手段であってもよい。
【００４７】
また、本実施の形態では、リフト部は、操作部を介して作業者の脚力によって上下動するものであるが、これに限定するものでなく、例えば、長めの槓棹を用いた操作部を使用して腕力によって上下動させるものであってもよいし、モーター等の動力によって上下動させるものであってもよい。
【００４８】
本実施の形態では、操作部は、略Ｌ字状の本体部と、ローラ部と、フットペダルを有するものであるが、これに限定するものではなく、例えば、単なる棒状の槓棹等であってもよく、公知の形状および構造に適宜変更することができる。また、先に述べたようにリフト部が人力以外の動力を用いるものである場合は、操作部は有線または無線により接続されたスイッチ装置に置き換えることもでき、その場合、操作部の位置も適宜変更することができる。
【００４９】
魚礁構成物の作成補助器具１を用いた魚礁構成物の作成方法について説明する。なお、本実施の形態では固定ベルト１４はゴム紐であるが、これに限定するものではなく、他の紐状体であってもよい。
【００５０】
なお、フットペダル１３２に荷重をかけていない場合は、保持部１２の自重により、リフト部１１はその上下のリンクが畳まれた状態となり、保持部１２下面の金属板１２３と受け止め部１０２の上端が当接した状態となる。また、操作部１３に係る本体部１３１とフットペダル１３２が立ち上がった状態となり、ローラ部１３３は傾斜部１０１の下縁または下端部に位置した状態となる（図３参照）。
【００５１】
（前準備）
フットペダル１３２に荷重を掛けていない状態の保持部１２上面に、上方が開口した充填容器２１を立てて載置する（図３参照）。次に、固定ベルト１４を掛止部１２１に回し掛け、立てられた充填容器２１の上方近傍の適当な位置に、固定ベルト１４先端に取着されたフック体（符号省略）を引っ掛ける。もう一方の掛止部１２１も同様に作業を行う。
この作業により固定ベルト１４の収縮力が働くことで、充填容器２１が保持部１２側へ押しつけられ、充填容器２１が保持部１２上面に定着する。
【００５２】
なお、この固定作業を行うにあたって、充填容器２１は、空の状態で載置してもよいし、一定量の貝殻２２を入れた状態で載置してもよい。
【００５３】
（充填作業）
作業者４は、充填容器２１に貝殻２２を入れ、足でフットペダル１３２を踏み込んだり、緩めたりすることで（換言すると、荷重と抜重を繰り返すことで）、充填容器２１を載置した保持部１２を昇降させる（図５参照）。
【００５４】
貝殻２２の入った充填容器２１と保持部１２を上昇させた後に足の力を緩める（換言すると、抜重する）と、充填容器２１と保持部１２が自然落下し、降下した保持部１２下面の金属板１２３と受け止め部１０２上端が衝突し、保持部１２を介して充填容器２１へ衝撃が加わる。この動作を繰り返して充填容器２１が昇降している間、その内部において貝殻２２が上下動し、貝殻２２間の隙間が徐々に詰まる。
なお、「貝殻２２間の隙間が徐々に詰まる」とは、「充填容器２１内において貝殻２２の密度が高まる」とも換言できる。
【００５５】
また、作業者４は、時折、押し込み部材４２を充填容器２１上方の開口部から内部に入れて、貝殻２２を上方から押し込み、あるいは、叩くことで、貝殻２２間の隙間を詰める。
貝殻２２間の隙間がある程度詰まると、作業者４は再び充填容器２１に貝殻２２を入れ、先に述べた動作を繰り返す。
【００５６】
そして、充填容器２１一杯に貝殻２２が詰まると、固定ベルト１４を外して保持部１２から充填容器２１を下ろし、充填容器２１の開口部を閉じることで、魚礁構成物２が完成する。
【００５７】
なお、作業者４は、先に述べた充填作業の際に、充填容器２１と共に保持部１２を回転させて、充填容器２１の周面を棒４１で叩くこともできる（図５参照）。充填容器２１の周面を棒４１で叩く衝撃により、側方から貝殻２２間の隙間を詰め、また、充填容器２１のメッシュの隙間から突き出た貝殻２２をこそぐことで、充填容器２１周面を綺麗に整える。
【００５８】
本明細書および本特許請求の範囲で使用している用語と表現は、あくまでも説明上のものであって、なんら限定的なものではなく、本明細書および本特許請求の範囲に記述された特徴およびその一部と等価の用語や表現を除外する意図はない。また、本発明の技術思想の範囲内で、種々の変形態様が可能であるということは言うまでもない。
【符号の説明】
【００５９】
１    魚礁構成物の作成補助器具
１０    基台部
１０１    傾斜部
１０２    受け止め部
１１    リフト部
１１１    上部リンク
１１２    下部リンク
１１３    ジョイント部
１１４    リフト部基体
１２    保持部
１２１    掛止部
１２２    取着部
１２３    金属板
１３    操作部
１３１    本体部
１３２    フットペダル
１３３    ローラ部
１４    固定ベルト
２    魚礁構成物
２１    充填容器
２２    貝殻
３    魚礁
４    作業者
４１    棒
４２    押し込み部材
【図１】
2016007159.tif 000003
【図２】
2016007159.tif 000004
【図３】
2016007159.tif 000005
【図４】
2016007159.tif 000006
【図５】
2016007159.tif 000007
【図６】
2016007159.tif 000008